(57)【要約】【課題】本発明は、インジェクションキャピラリを有するサイクルの信頼性を向上させることを目的とする。【解決手段】上記目的を達成するため本発明は、圧縮機，凝縮器，膨張弁，蒸発器を順次接続して構成され、前記凝縮器と前記膨張弁との間から分岐された冷媒を前記圧縮機の圧縮機構部に液インジェクションさせるための液インジェクション回路を備えた冷蔵冷凍装置において、キャピラリーチューブと、前記キャピラリーチューブの外径よりも大きな内径で、前記キャピラリーチューブを外包するパイプと、前記パイプの両端を縮管して前記キャピラリーチューブにロウ付けし、前記ロウ付けした部分を覆うように前記パイプの端に取り付けられた継手パイプと、を備えたインジェクションキャピラリを備え、前記インジェクションキャピラリを液インジェクション回路の一部としたことを特徴とする。【選択図】  図１
2011241985.tif 000002
【特許請求の範囲】
【請求項１】
圧縮機，凝縮器，膨張弁，蒸発器を順次接続して構成され、前記凝縮器と前記膨張弁との間から分岐された冷媒を前記圧縮機の圧縮機構部に液インジェクションさせるための液インジェクション回路を備えた冷蔵冷凍装置において、
キャピラリーチューブと、
前記キャピラリーチューブの外径よりも大きな内径で、前記キャピラリーチューブを外包するパイプと、
前記パイプの両端を縮管して前記キャピラリーチューブにロウ付けし、前記ロウ付けした部分を覆うように前記パイプの端に取り付けられた継手パイプと、
を備えたインジェクションキャピラリを備え、
前記インジェクションキャピラリを液インジェクション回路の一部としたことを特徴とする冷蔵冷凍装置。
【請求項２】
請求項１において、
前記キャピラリーチューブの端部を、前記継手パイプが覆っていることを特徴とする冷蔵冷凍装置。
【発明の詳細な説明】
【技術分野】
【０００１】
本発明は冷蔵冷凍装置に係わり、特にインジェクション流量を調節するための流量制御機構であるインジェクションキャピラリを有するサイクルを有するものに関する。
【背景技術】
【０００２】
従来の冷蔵冷凍装置では例えば特許文献１に記載されているように、圧縮機始動時の液インジェクション回路の脈動を防止するため、圧縮機の停止前に液インジェクション回路を閉じる手段、もしくは圧縮機の始動後にインジェクション回路を開ける手段を設けている。
【先行技術文献】
【特許文献】
【０００３】
【特許文献１】特開２００２−１３０８５０号公報
【発明の概要】
【発明が解決しようとする課題】
【０００４】
冷蔵冷凍サイクルにおいては、吸込圧力と吐出圧力の圧力比が空調用冷凍サイクルと比べて大きいことから、圧縮機吐出温度が高温となる。この圧縮機吐出温度の上昇を防ぐため、凝縮器と膨張弁との間から分岐された液冷媒を圧縮機の圧縮機構部に連通させる液インジェクション回路を設け、液冷媒の気化熱を利用し、吐出温度の上昇および圧縮機自体の過熱を防止している。
【０００５】
この液インジェクション回路の一部を構成し、液インジェクション流量を調節するための流量制御機構であるインジェクションキャピラリは細径管であるため、インジェクションキャピラリ単体での輸送時やサイクルへの組付時に変形する虞がある。そのような際にも十分に注意をしているから実際には特に問題はないが、最悪の場合には破損を生ずる可能性もあるかも知れず、可能性がゼロであるとは言い切れない。
【０００６】
また、インジェクションキャピラリにはサイクル据付後の圧縮機始動時，運転時の振動により、応力がかかると共に、圧縮機側の配管，サイクル側の配管と径差が大きいために、配管接続部の径差に応力が集中し、これらの影響により、配管亀裂や部品破損の原因となる可能性があるかも知れず、可能性がゼロであるとは言い切れない。
【０００７】
本発明は、インジェクションキャピラリを有するサイクルの信頼性を向上させることを目的とする。
【課題を解決するための手段】
【０００８】
上記目的を達成するため本発明は、
圧縮機，凝縮器，膨張弁，蒸発器を順次接続して構成され、前記凝縮器と前記膨張弁との間から分岐された冷媒を前記圧縮機の圧縮機構部に液インジェクションさせるための液インジェクション回路を備えた冷蔵冷凍装置において、
キャピラリーチューブと、
前記キャピラリーチューブの外径よりも大きな内径で、前記キャピラリーチューブを外包するパイプと、
前記パイプの両端を縮管して前記キャピラリーチューブにロウ付けし、前記ロウ付けした部分を覆うように前記パイプの端に取り付けられた継手パイプと、
を備えたインジェクションキャピラリを備え、
前記インジェクションキャピラリを液インジェクション回路の一部としたことを特徴とする。
【発明の効果】
【０００９】
本発明によれば、サイクルの信頼性が向上する。
【図面の簡単な説明】
【００１０】
【図１】本発明の第１実施例のインジェクションキャピラリを示す図。
【図２】本発明の第１実施例のインジェクションキャピラリの製作過程を示す図。
【図３】本発明のインジェクションキャピラリが使用される冷凍装置の基本冷凍サイクル系統を示す図。
【図４】図３におけるインジェクションキャピラリ取り付け部分を示す詳細図。
【発明を実施するための形態】
【００１１】
以下、図面を用いて本発明の実施例を説明する。実施例の図における同一符号は同一物または相当物を示す。
【実施例１】
【００１２】
本発明の実施例について図１〜図４を用いて説明する。
【００１３】
図１は本発明の第１実施例のインジェクションキャピラリ１であり、図２はインジェクションキャピラリ１の製作過程を示したものである。
【００１４】
図１に、インジェクションキャピラリ１の全体を示す。インジェクションキャピラリ１は、液インジェクション回路６の一部として図３に示すような位置に配設される。
【００１５】
インジェクションキャピラリ１の構成としては、基本的にキャピラリーチューブ２である。図３ではクルクル巻いているが、これは単なる記号であり、直線でも構わない。このように、キャピラリーチューブ２がサイクル内に配設されると、この部分で絞り機能を奏する。
【００１６】
キャピラリーチューブ２の外側を覆うように、パイプ３とキャピラリーチューブ２とは二重管構造となっている。キャピラリーチューブ２とパイプ３のロウ付け部分３ａ，３ｂについては後述するが、キャピラリーチューブ２とパイプ３のロウ付け部分３ａ，３ｂを覆うように継手パイプ４ａ，４ｂを取り付ける。この継手パイプ４ａ，４ｂの端部が図３におけるｘａ，ｘｂである。なお、図１に示すよう、キャピラリーチューブ２の先端を守るため、キャピラリーチューブ２の端部は、継手パイプ４ａが覆っている。
【００１７】
継手パイプ４ａ，４ｂは、パイプ３と同じ、内径３.３６mmのパイプを使用した。片端を内径５mmに拡管し、前記ロウ付け部分３ａ，３ｂを覆うようにパイプ３に接続，ロウ付けしている。なお、パイプ３は後述の冷凍サイクルを構成するパイプと同等の径であり、同一の径であっても良い。
【００１８】
キャピラリーチューブ２とパイプ３のロウ付け部分３ａ，３ｂについては、図２のごとく、外径１.８mmのキャピラリーチューブ２を内径３.３６mmのパイプ３で覆い、パイプ３の両端を絞る。そして、キャピラリーチューブ２にロウ付けする。キャピラリーチューブ２の寸法や形状はインジェクション抵抗値に合わせて決定されるものであり、パイプ３の寸法や形状はキャピラリーチューブ２の両端部を残して外包するように設計する。
【００１９】
インジェクションキャピラリ１は、図３に示す、圧縮機７，凝縮器８，膨張弁１０，蒸発器１１を順次接続した冷凍サイクルの中で、凝縮器８と膨張弁１０との間から分岐された冷媒を圧縮機７の圧縮機構部に連通させる液インジェクション回路６に液インジェクション流量を調節するための流量制御機構として取り付けられる。本実施例ではスクロール圧縮機を使用したが、ロータリー圧縮機やレシプロ圧縮機にも使用できる。
【００２０】
インジェクションキャピラリ１の冷凍装置への取り付け部分を図４に示す。図４はｘａ部分を拡大して示している。インジェクションキャピラリ１はロウ付けされた継手パイプ４ａを端部ｘａでサイクル側の配管と接合している。更に、図示していないが、継手パイプ４ｂを端部ｘｂで圧縮機側の配管５と接合している。
【００２１】
このように、継手パイプを圧縮機と接続することにより、キャピラリーチューブと圧縮機が直接接続されることがなく、キャピラリーチューブ２にかかる応力を軽減すると共に、配管接続部の径差による応力集中を緩和し、配管亀裂や部品破損によるサイクル内の冷媒が漏洩することを確実に防止することができる。
【００２２】
以上の如く、インジェクションキャピラリについてキャピラリーチューブをその外径よりも内径の大きなパイプで外包し、パイプの両端を縮管して、前記キャピラリーチューブにロウ付けした二重管構造とし、インジェクションキャピラリと圧縮機、もしくはサイクルとの接続部はパイプと接続された継手部によって行い、インジェクションキャピラリと圧縮機もしくはサイクル配管が直接接続されることがない構造とすることにより、インジェクションキャピラリの機能を損なうことなく、キャピラリーチューブにかかる応力を軽減すると共に、配管接続部の径差による応力集中を緩和し、配管亀裂や部品破損によるサイクル内の冷媒が漏洩することを確実に防止することができる。
【００２３】
冷凍装置に使用されている冷媒がプロパンやイソブタンのような可燃性冷媒である場合、冷媒漏洩は火災や爆発の原因となり得るため、漏洩防止は特に重要である。
【符号の説明】
【００２４】
１  インジェクションキャピラリ
２  キャピラリーチューブ
３  パイプ
４ａ，４ｂ  継手パイプ
５  圧縮機の配管
６  液インジェクション回路
７  圧縮機
８  凝縮器
９  受液器
１０  膨張弁
１１  蒸発器
【図１】
2011241985.tif 000003
【図２】
2011241985.tif 000004
【図３】
2011241985.tif 000005
【図４】
2011241985.tif 000006